(57)【要約】本発明によって、短い（典型的に３０秒の）広告または他のフィルムをインターネット上でマルチキャストすることが可能になる。このフィルムは、（添付として送信されるのではなく）ネットワークのための電子メールメッセージの本体に組込まれるため、メッセージが見られるとすぐに、それが実行される。メッセージは、それが開かれるまたは転送されるときは常に、自動的に応答を送信する手段を含み得ることにより、メッセージの伝送が追跡され得る。本発明は、所有権を主張できるコンピュータシステムおよびアプリケーションを用いて実現されて、（ａ）フィルムをストリーミングファイルとして符号化し、（ｂ）ウェブページを作成し、それにテンプレートとともにファイルを挿入し、（ｃ）ウェブページを電子メールメッセージとして見ることができるように適合させ、かつ（ｄ）選択された受信者への伝送のためにメッセージを作成し得る。【特許請求の範囲】
【請求項１】
電子メールネットワークによってデジタル記録済みフィルムを伝送する方法であって、フィルムはネットワークのための電子メールメッセージの本体に組込まれて、メッセージが見られるとすぐに実行される、デジタル記録済みフィルムを伝送する方法。
【請求項２】
メッセージが開かれるまたは転送されるときには常に、自動的に応答を送信する手段を含み得ることによって、メッセージの伝送が追跡され得る、請求項１に記載のフィルムを伝送する方法。
【請求項３】
応答を送信する手段は、ＨＴＭＬでコード化された命令を含む、請求項２に記載のフィルムを伝送する方法。
【請求項４】
ネットワークは、インターネットまたはその一部であり、
（ａ）  フィルムをストリーミングファイルとして符号化するステップと、
（ｂ）  ウェブページを作成し、それにテンプレートおよび前記ファイルを挿入するステップと、
（ｃ）  ウェブページを電子メールメッセージとして見ることができるように適合させるステップと、
（ｄ）  ネットワーク上の選択された受信者へ伝送するためにメッセージを作成するステップとを含む、請求項１から３のいずれかに記載のフィルムを伝送する方法。
【請求項５】
フィルムはＡＶＩであり、ストリーミングファイルはＡＳＦである、請求項４に記載のフィルムを伝送する方法。
【請求項６】
ストリーミングファイルは、選択されたエンコーダによって符号化され、かつネットワークに接続された異なるシステム間での伝送を容易にするように配置された、請求項４または５に記載のフィルムを伝送する方法。
【請求項７】
ウェブページは、フレームベースのアプローチを用いて作成されてメッセージの位置を制御し得る、請求項４から６のいずれかに記載のフィルムを伝送する方法。
【請求項８】
ウェブページは、配置された電子メール送信ソフトウェアによって、フィルムを添付として搬送するのではなく、それをメッセージに組込むようにされた、請求項４から７のいずれかに記載のフィルムを伝送する方法。
【請求項９】
電子メール送信アプリケーションの命令は、フィルムをメッセージに組込むように修正される、請求項８に記載のフィルムを伝送する方法。
【請求項１０】
受信者または受信者の各々の電子メールアドレスを挿入し、かつ対応するルーティングおよび送信情報を加えることによって、メッセージが伝送のために作成される、請求項４から９のいずれかに記載のフィルムを伝送する方法。
【請求項１１】
実質的に別掲の明細書で例を参照して記載された、電子メールネットワーク上でフィルムを伝送する方法。
【発明の詳細な説明】
【技術分野】
【０００１】
本発明は、電子メールネットワーク上でのデジタル記録済みフィルムの伝送に関し、特にインターネット上での選択された受信者へのフィルムのマルチキャスト伝送に関する。しかしながら、必ずしもこれに限定されない。
【背景技術】
【０００２】
「フィルム」という用語は、本明細書では、音声を有するまたは有さない動画が何らかの手段で生成され得る如何なる媒体上での記録のことをいうのに用いられる。
【０００３】
本発明が、所有権を主張できるコンピュータシステムおよびアプリケーションを利用する限りにおいて、これにより、本明細書で使用される以下の用語は、登録済みもしくは未登録の商標である、またはあり得ることが認められる。以下の用語とは、ＡＹメール（AY Mail）、ドリームウィーバ（Dreamweaver）、フロントページ（Frontpage）、ジャバ（Java（登録商標））、マクロメディア（Macromedia）、マイクロソフト（Microsoft）、ウインドウズ（Windows（登録商標））およびウインドウズメディア（Windows（登録商標） Media）のことである。
【０００４】
インターネット上の広告は非常に広範であるが、その大半は、広告のテーマに関心のある人々に流されるのではなく、ブロードキャストされる、すなわち一般に伝送される。この種類の広告の欠点は周知である。すなわち、何らかの所与の広告を見る人の圧倒的多数は、宣伝された製品に全く関心がないため、著しく非効率的であること、さらにこの広告は、必然的に、関心のある視聴者にとって最も重要となる強調表示機能としてではなく、大量消費向けに考案されているために、大抵は効果的ではない。
【０００５】
これらのブロードキャスト広告の弱点に対処するために、マルチキャスト広告が提案されてきた。（実際には、マルチキャスティングは、違いを強調するためにナロウキャスティングとして知られていることもある）。マルチキャスト広告は、特に、宣伝される製品に関心があるとして知られる（または少なくとも考えられる）人向けであり、明らかに効率性および効果が向上する。
【０００６】
インターネットおよび同様の原理で編成されたイントラネットや他のシステムによって、広告は、極めて厳密に個々人にターゲットをしぼることができるようになり、これはマルチキャスティングにとって理想的である。それにもかかわらず、インターネット広告は、非常に未発達なままであり、ほぼ完全に、動きが最小で音声のないバナ−広告に限られている。このような広告はインパクトを欠き、テレビが引き続きはるかに多くの広告収入を得ているということは、殆ど驚くに値しない。しかしながら、この状況は変化している。
【０００７】
テレビ式フィルムがインターネット上で伝送され得ることは周知である。マイクロソフト社（Microsoft Corporation）は、パーソナルコンピュータ上で、ハードディスクおよびＣＤ−ＲＯＭからオーディオおよびビデオの再生をするためのオーディオビデオインターリーブ（ＡＶＩ）を開発し、より最近では、アドバンスドストリーミングフォーマット（ＡＳＦ）を規定し、これはとりわけ、インターネット上でのリアルタイムまたはストリーミング方式でのオーディオおよびビデオの再生を容易にする同期タイムスタンプを含んでいる。
【０００８】
上記の説明から、インターネットは、（電子メールを通した）マルチキャスティングおよび（ＡＶＩを通した）フィルムの双方をサポートすることが理解されるであろう。さらに、これら２つのものが、マルチパーパスインターネットメールエクステンション（ＭＩＭＥ）を通して組合されるような対応がなされており、これによって、ＡＶＩファイルおよび他のマルチメディアデータタイプを電子メールメッセージに添付することができる。したがって、ＡＶＩ形式のフィルムは、電子メールメッセージへの添付として一人以上の選択された受信者に送信され得る。
【０００９】
広告の目的にとって、これの欠点は、広告が添付物であるため、受信者がその添付物を開かなければおよび開くまで、その広告が見られることはないということである。本発明の目的は、（広告または何らかの他の目的のための）フィルムを、メッセージが見られるとすぐにそれが実行されるように、電子メールメッセージと対応付けることを可能にすることである。
【発明の開示】
【００１０】
したがって、本発明に従って、電子メールネットワークによってデジタル記録済みフィルムを伝送する方法が提供され、このフィルムは、ネットワークの電子メールメッセージの本体に組込まれて、メッセージが見られるとすぐにそれが実行される。
【００１１】
このメッセージは、それが開かれるまたは転送されるときには常に自動的に応答を送信する、ハイパーテキストマークアップ言語（ｈｔｍｌ）でコード化された命令等の手段を含むことにより、メッセージの伝送が追跡され得る。
【発明を実施するための最良の形態】
【００１２】
本発明は、インターネットまたは（ワールドワイドウェブもしくはイントラネット等の）その一部での広告または他のフィルムの伝送に特に適用可能であり、この目的のためにこの方法は以下のステップを含み得る。
【００１３】
（ａ）  フィルムをストリーミングファイルとして符号化する。
【００１４】
（ｂ）  ウェブページを作成し、それにテンプレートおよび上記ファイルを挿入する。
【００１５】
（ｃ）  ウェブページを電子メールメッセージとして見ることができるように適合させる。
【００１６】
（ｄ）  ネットワーク上の選択された受信者へ伝送するためにメッセージを作成する。
【００１７】
フィルムは、ＡＶＩおよび、ＡＳＦのストリーミングファイルであるかもしれない。ネットワークに接続された異なるシステム間での伝送を容易にするために、ストリーミングファイルは、特定の設定を有する特定のエンコーダを用いて符号化され得る。
【００１８】
ウェブページは、好ましくは、フレームベースのアプローチを用いて作成されて、メッセージの位置を制御し得る。ウェブページは、配置された電子メール送信ソフトウェアによって、恐らくその命令を修正することによって適合されて、メッセージを添付として搬送するのではなくそれを組込み得る。
【００１９】
メッセージは、もちろん複数の選択された受信者に送信され得、好ましくは、受信者または各々の受信者の電子メールアドレスを挿入し、かつ対応するルーティングおよび送信情報を加えることによって、伝送のために作成される。
【００２０】
ここで、本発明は、所有権を主張できるシステムおよびアプリケーションを利用した方法におけるステップの特定の例を参照して記載される。
【００２１】
この方法による伝送のためのフィルムは、典型的には、ＡＶＩ形式で記録された（および編集された）オーディオおよびビデオの双方を含む、３０秒の広告フィルムである。当業者は、ＡＶＩによって、インターネットユーザが、ユーザのコンピュータのハードドライブから、リモートサイトからのオーディオ−ビデオファイルを再生のためにダウンロードすることができることを認識するであろう。ＡＶＩが、インターネットまたは他のパケット交換ネットワーク上でのリアルタイムまたはストリーミング再生にあまり適していないことは周知である。なぜなら、それは、ＡＳＦストリーミングファイルからダウンロードされ、さらにＡＳＦストリーミングファイルとして符号化されるオーディオおよびビデオストリームを同期する（および再同期する）手段を有していないからである。しかしながら、ＡＶＩファイルはＡＳＦに変換され得、これは確かにインターネット上でのオーディオ−ビデオストリーミングをサポートする。したがって、本発明によってフィルムを伝送する際の第１のステップは、それをＡＶＩからＡＳＦに変換することである。
【００２２】
（ａ）  符号化
変換プロセスは、ウインドウズメディア（バージョン４．１．０）を利用するが、このウインドウズメディアはマイクロソフトで市販されている一組のデジタルマルチメディアアプリケーションである。
【００２３】
１  エンコーダを開く。
【００２４】
２  カスタム設定を選択する。ＡＶＩを選択する。符号化されるＡＶＩファイルのファイル名を選択する。
【００２５】
３  単一ビットレートのビデオを使用する。
【００２６】
４  ８０〜１００ｋｂｐｓのビットレートを選択する。
【００２７】
５  下記のコーデックを選択する。
【００２８】
オーディオ：ＭＰＥＧレイヤ３  １６ｋｂｐｓ  １１，０２５ｋｈｚ  Ｍｏｎｏ
ビデオ：マイクロソフトＭＰＥＧ−４ビデオコーデックＶ１
６  アドバンスドタブをクリックする。要求されたサイズを選択し、スライダを５０に設定する。
【００２９】
７  遅延バッファを１に設定する。
【００３０】
８  ＡＳＦファイルの記憶場所を選択し、それに名前をつける。
【００３１】
９  終了をクリックする。
【００３２】
次に、ウェブページを作成する。これは、フレームベースのアプローチを用いて行なわれて、ウインドウでの伝送されるメッセージの位置付けを制御する。このプロセスは、（ロールオーバオプションを有する）３つのボタンオプション、すなわちVisit the Website、E-mail usおよびCall You Backを与える。ウェブページは、ＨＴＭＬでコード化され、特にJava（登録商標）でコード化され、この段階で追跡コードが挿入される。
【００３３】
（ｂ）  ウェブページを作成する
ウェブページは、ドリームウィーバ１によって作成され、このドリームウィーバ１はマクロメディアで市販されているＷＹＳＩＷＹＧウェブサイトビルディングアプリケーションである。
【００３４】
１  伝送されるメッセージのフォルダを作成し、ＡＳＦファイルおよび選択されたグラフィックテンプレート（デフォルトサイズ４５０×３２０）を挿入する。
【００３５】
２  ドリームウイーバ１を開く。
【００３６】
３  ファイルをｖｉｓｍａｉｌ．ｈｔｍ．で保存する。
【００３７】
４  （挿入画像を用いて）グラフィックテンプレートを挿入する。
【００３８】
５  オブジェクトツールバーからドローレイヤツール（Draw Layer tool）を選択する。
【００３９】
６  メッセージがテンプレート上でそこに現れるべきレイヤをドローする。
【００４０】
７  コード化の際、レイヤのコードが確実にテンプレートのコードの後になるようにする（必要であれば１つまたは双方を動かす）。
【００４１】
８  ウェブリンク（Visit the Website）、Ｅメールリンク（E-mail Us）およびコールバック（Call You Back）のためのボタンを加える。
【００４２】
９  追跡コードを追加する。
【００４３】
１０  ソースロックコードを追加する。
【００４４】
１１  ＨＴＭ文書を保存し、閉じる。
【００４５】
一旦テンプレートが完成すると、ＡＳＦビデオファイルを適切なフレームに加えることができる。２つの別個のプログラムがこのプロセスにおいて使用される。２番目のプログラムは、Ｅメールにアクセスすると同時に自動的にビデオを開始することのできるコーディングを挿入する。
【００４６】
（ｃ）  ウェブページを適合させる
ウェブページは、フロントページ２０００で見ることができるように適合され、このフロントページ２０００は、マイクロソフトで市販されているウェブオーサリングアプリケーションである。
【００４７】
１  フロントページ２０００を開く。
【００４８】
２  ＨＴＭ文書を開く。
【００４９】
３  レイヤエリアをクリックする。
【００５０】
４  「挿入」をクリックして、次に画像タブをクリックする。
【００５１】
５  ビデオオプションを選択する。
【００５２】
６  ＡＳＦファイルを選択して、オブジェクトがレイヤの左上角に現れるようにする。
このオブジェクトを、それがレイヤエリアを一杯にするまでクリックしてドラッグする。
【００５３】
７  ＨＴＭタブをクリックして、高さおよび幅の値をＡＳＦファイル（デフォルト３２０×１６０）のそれに修正することによって、オブジェクトを適合させる。
【００５４】
８  プレビュータブをクリックして、動画が十分に流れ、かつ適切に位置合せされていることをチェックする。ＨＴＭＬ設定を適切に適合させる。
【００５５】
９  ＨＴＭ文書を保存する。
【００５６】
１０  ＨＴＭタブをクリックする。ＨＴＭコードすべてを選択する。ＣＴＲＬ  Ｃを押す。
【００５７】
１１  フロントページ２０００を閉じる。
【００５８】
ＨＴＭページはここで、特定のＥメール送信ソフトウェアに転送される。ここで、ＨＴＭページは、グラフィックスおよびビデオファイルが添付として運ばれずに、Ｅメール自体の内部に組込まれるようにされる。これは、ｃｉｄ、すなわちアプリケーションコード内の接頭語を加えることによって達成される。
【００５９】
電子メールアドレスのグループを挿入し、かつ対応するルーティングおよび送信情報を加えることによって、選択された受信者への伝送のためのメッセージが作成される。この段階で、組込まれたファイルは、それ以降の伝送のためのソフトウェアにプログラムされる。
【００６０】
（ｄ）  伝送のために作成する
ＡＹメールとして知られる電子メール送信アプリケーションによって、メッセージが伝送のために作成される。
【００６１】
１  ＡＹメールＶ１．７を開く。
【００６２】
２  メッセージタブをクリックする。
【００６３】
３  ＣＴＲＬ  Ｖを押してアプリケーションコードを示す。
【００６４】
４  すべてのグラフィック（テンプレート、ボタン、ｇｉｆ等）につきコードを以下のように変更する。
【００６５】
...src=”Background1.jpg”...を...src=cid:Background1.jpg...に変更する。
【００６６】
...dynsrc=”vismail.asf”...を...dynsrc=cid:vismail1.asf...に変更する。
【００６７】
５  受信者タグをクリックし、メッセージの意図された受信者または意図された受信者の各々の電子メールアドレスを挿入する（これは何らかのテキストファイルからカットアンドペーストすることでなされ得る）。
【００６８】
６  ヘッダをクリックし、次に、
To fieldに「受信者」を入れる。
【００６９】
From fieldに送信者の電子メールアドレスを入れる。
【００７０】
Subject fieldにVismailを入れる。
【００７１】
７  添付をクリックする。ＨＴＭ文書を除いて、メッセージを含むすべてのグラフィックスファイルおよびＡＳＦファイルを添付する。
【００７２】
８  オプションタブをクリックし、送信者のシンプルメール転送プロトコル（ＳＭＴＰ）アドレスを入れる。
【００７３】
これでメッセージを送信する準備が整った。このフィルムは、メッセージの中に組込まれているために、受信者がメッセージを見るとすぐに見られる。
【００７４】
本発明を特定の、所有権を主張できるコンピュータシステムおよびアプリケーションの使用を参照して記載してきたが、本発明は他の方法で実現され得、かつ他の修正および適合が当業者にとって明らかであることが理解されるであろう。
【国際公開パンフレット】
2005504397.tif 000002
2005504397.tif 000003
2005504397.tif 000004
2005504397.tif 000005
2005504397.tif 000006
2005504397.tif 000007
2005504397.tif 000008
2005504397.tif 000009
2005504397.tif 000010
2005504397.tif 000011
2005504397.tif 000012
2005504397.tif 000013
【国際公開パンフレット（コレクトバージョン）】
2005504397.tif 000014
【国際調査報告】
2005504397.tif 000015
2005504397.tif 000016
2005504397.tif 000017